(57)【要約】【課題】排稈装置の下側に排稈カッタのカッタ口をのぞませて設けられ、終端に排稈ドロッパが設けられるため、この排稈装置の切替案内杆とカッタ口の切替板との切替えにおいては、排稈通路部にこれら切替案内杆と切替板とが切替回動されて交錯し易い関係にあるため、切替操作が難しく、誤操作を生じ易い。構成も煩雑化となる。【解決手段】脱穀排稈を排送する排稈チェン１とこの下側の排稈カッタ３との間に、起伏回動して排稈を下側のカッタ口５へ案内する切断処理状態と、後方のドロッパー６へ案内するドロッパー作業状態とに切替可能の切替板４を設け、切断処理状態では排稈カッタ３前側に横方向に沿って収納され、ドロッパー作業状態に切替え時には収納姿勢から排稈チェン１下面に沿うよう接近移動可能の切替案内杆８を設け、これら切替板４と切替案内杆８を単一の操作レバー９で連動可能に構成したことを特徴とするコンバインの排稈操作装置とする。【選択図】        図１
2005021008.tif 000002
【特許請求の範囲】
【請求項１】
脱穀排稈を排送する排稈チェン（１）とこの下側の排稈カッタ（３）との間に、起伏回動して排稈を下側のカッタ口（５）へ案内する切断処理状態と、後方のドロッパー（６）へ案内するドロッパー作業状態とに切替可能の切替板（４）を設け、切断処理状態では排稈カッタ（３）前側に横方向に沿って収納され、ドロッパー作業状態に切替え時には収納姿勢から排稈チェン（１）下面に沿うよう接近移動する切替案内杆（８）を設け、これら切替板（４）と切替案内杆（８）を単一の操作レバー（９）で連動可能に構成したことを特徴とするコンバインの排稈操作装置。
【請求項２】
切替板（４）と切替案内杆（８）を切断処理状態からドロッパー作業状態に切替える際、切替板（４）が所定量閉回動した後、切替案内杆（８）が収納姿勢から排稈チェン（１）下側に向け接近移動を開始することを特徴とする請求項１記載のコンバインの排稈操作装置。
【請求項３】
前記切替案内杆（８）は伸縮可能に設けたことを特徴とする請求項１又は２に記載のコンバインの排稈操作装置。
【発明の詳細な説明】
【０００１】
【発明の属する技術分野】
この発明は、コンバインの排稈操作装置に関し、脱穀済の排稈を排稈カッター側とドロッパー側とに切替えて供給する切替機構を操作連動するものである。
【０００２】
【従来の技術】
脱穀済排稈を挾持して搬送する排稈装置の終端部下に、この排稈を受けて短く切断する排稈カッターと、排稈を受けて収集しながら刈取跡地に排出するドロッパーとを配置して、切替機構を設けてこれら排稈カッターとドロッパーとに切替えて案内供給させる。排稈カッターの上側に、排稈チェンの終端部下に接近して排稈を挾持搬送させる切替案内杆を設け、この切替案内杆を、非作用姿勢時は排稈カッターの前側下位の収納位置とし、作用姿勢時は排稈チェンの下面に沿った位置に出た搬送位置として、前後に回動させると共に上下動させて切替える技術が知られている（例えば特許文献１参照）。又、切替案内杆と切替板とを単一の操作レバーで連動操作する技術が知られている（例えば特許文献２参照）。
【特許文献１】実開平５−３７０３４号公報（第１頁、図２）
【特許文献２】特開平７−４６９３９号公報（第１頁、図１、図４）
【０００３】
【発明が解決しようとする課題】
前記のように切替案内杆は、排稈カッターの上側を後方のドロッパー側へ排稈案内するもので、この下側の排稈カッターのカッタ口に設けられる切替板と略同位置に設けられるものである。このためこれら切替案内杆と切替板とは切替作動時に相互に干渉させないため、これら両者間を上下に段差をつけて設けることが多い。このような形態では、排稈カッターの設置位置が低位となって切断排稈が未刈取稈側に降りかかり易くなったり、切替板のカッタ口側への排稈取込案内が不正確になり易い。
しかも、切替案内杆は、ドロッパー側へ搬送させるときは排稈チェンの下側に接近し、カッター側への搬送時にはこれを邪魔しないように下側に退避させる必要があるため、この出し入れは前後方向の回動と共に上下動が行われて煩雑である。
この発明は、排稈カッタのカッタ口を排稈装置の終端部に接近させた形態として、切替案内杆の出し入れと切替板の切替えを交錯しないように的確に行わせると共に、この切替操作を誤操作なく、簡単、円滑に行わせようとするものである。
【０００４】
【課題を解決するための手段】
請求項１に記載の発明は、脱穀排稈を排送する排稈チェン１とこの下側の排稈カッタ３との間に、起伏回動して排稈を下側のカッタ口５へ案内する切断処理状態と、後方のドロッパー６へ案内するドロッパー作業状態とに切替可能の切替板４を設け、切断処理状態では排稈カッタ３前側に横方向に沿って収納され、ドロッパー作業状態に切替え時には収納姿勢から排稈チェン１下面に沿うよう接近移動可能の切替案内杆８を設け、これら切替板４と切替案内杆８を単一の操作レバー９で連動可能に構成したことを特徴とするコンバインの排稈操作装置とする。コンバイン作業では、脱穀装置で脱穀された排稈が排稈チェン１で後方へ搬送される。この排稈を排稈カッタ３で切断させるときは、操作レバー９で切替板４を上方へ回動させてカッタ口５を開くと共に、切替案内杆８は排稈カッタ３の前側に横方向に沿わせた収納姿勢に切替えておく。排稈チェン１で搬送される排稈は、後方へ移送されようとしても、切替板４によって掻き取られるようになって下側のカッタ口５へ案内されてこの排稈カッタ３の切断部へ供給される。又、排稈をドロッパー６側へ搬送させて排出するときは、操作レバー９を操作して切替板４を閉回動させてカッタ口５を閉めると共に、切替案内杆８を収納姿勢から排稈チェン１下面に沿うよう接近移動させて排稈姿勢に切替える。この切替板４と切替案内杆８の切替操作を単一の操作レバー９で連動可能に構成する。
【０００５】
請求項２に記載の発明は、切替板４と切替案内杆８を切断処理状態からドロッパー作業状態に切替える際、切替板４が所定量閉回動した後、切替案内杆８が収納姿勢から排稈チェン１下側に向け接近移動を開始することを特徴とするものである。切断処理状態からドロッパー作業状態に操作レバー９を操作する際、切替板４が所定量閉じる方向に回動した後、切替案内杆８が収納姿勢から移動を開始し、所定量閉じた切替板４が全閉回動するまでの間に切替案内杆８が排稈チェン１下側に接近するよう移動する。
【０００６】
請求項３に記載の発明は、前記切替案内杆８を伸縮可能に設けたことを特徴とするものである。前記のように排稈を切断処理させるときは、切替案内杆８はこの排稈カッタ３の前側下部に横方向に沿わせた状態に収納させる。これに対して排稈をドロッパー６へ搬送案内するときは、切替案内杆８を後方へ回動させて排稈チェン１の先端部の方向に沿うように切替える。この状態で切替案内杆８の後端部の位置を調節することによって、ドロッパー６側への排出位置を調節したり、この切替案内杆８の収納に適した長さに調節できる。
【０００７】
【発明の効果】
請求項１に記載の発明は、単一の操作レバー９の操作で、切替板４と切替案内杆８を、切断処理状態とドロッパー作業状態とに切替えることが可能であるので、簡単な構成、操作で誤操作なく的確な切替を維持することができる。
【０００８】
請求項２に記載の発明は、切替板４と切替案内杆８を切断処理状態からドロッパー作業状態に切替える際、あらかじめ切替板４が所定量だけ閉じる方向に回動した後、切替案内杆８が収納姿勢から排稈チェン１下面に沿うよう接近移動開始するため、切替板４と切替案内杆８が交差接触することなく的確で円滑に切替え可能である。又、排稈チェン１と下側の排稈カッタ３のカッタ口５との間を接近させることができるとともに、切替板４を起立させた切断処理状態において、切替板４を排稈チェン回転圏内に深く介入させることができるので、排稈の後方への持出しを防止してカッタ口５への排稈送込み案内を正確に行わせることができる。
【０００９】
請求項３に記載の発明は、昇降しながら前後に回動して切替えられる切替案内杆８の先端部を、伸縮可能に構成するものであるから、排稈チェン１との間の排稈挾持の搬送位置を刈取跡地に対する排出位置や、ドロッパー６の収集状態等に応じて適切に調節することができ、又、この切替案内杆８の収納に適した長さにすることができ、収納を円滑で容易に行わせることができる。
【００１０】
【発明の実施の形態】
この発明の実施例を図面に基づいて説明する。コンバインは、左右一対のクローラ形走行装置を有した車台上に、脱穀装置２５や、操縦席２６、エンジンルーム２７内のエンジン、グレンタンク２８等を搭載する。前方に装着の刈取装置で刈り取られる穀稈を、穀稈搬送装置２９でこの脱穀装置２５移送口３０に沿うフィードチェン３１に送込受継させて脱穀室３２に供給する。この脱穀室３２の後側の排稈室３３にはこの脱穀排稈の株元側前部から穂先側後方にわたる斜めの方向に排稈装置７が設けられ、この排稈室３３の後側に排稈カッタ３と排稈ドロッパー６が配置される。３５はグレンタンク２８に収容された穀粒を取出すオーガである。３６は吸引排塵機で、脱穀選別室から排出されるわら屑や排塵物を吸引して排塵口３７から排出させる。
前記排稈カッタ３は、横方向に長い箱形のカッタフレーム４０内に、鋸歯形の切断刃を一定間隔に配設したカッタ軸４１と、これに対向する掻込ロータを配設したロータ軸４２を軸装して、上側のカッタ口５からこれら前後の切断刃と掻込ロータとの回転間に沿って排稈を供給することにより短く切断して下方へ排出することができる。このカッタ口５には後側の切替軸４３の周りに起伏回動する切替板４が設けられる。この切替板４には排稈チェン１の下側に切欠部４４を形成して、起立回動したときこの排稈チェン１の回転圏内に深く交差しうる形態としている。
【００１１】
このようなカッタフレーム４０は、前側面を排稈室３３の後側面に合せて取付け、この合せ部に沿って横方向の収納溝部４５を形成して、前記切替案内杆８を嵌合収納させることができる。この排稈室３３に設けられる排稈装置７は、排稈チェン１がフィードチェン３１の終端内側部から排稈カッタ３の穂先寄り上部にわたって傾斜させて張設され、この下側には案内杆２が設けられて、フィードチェン３１から送出される排稈をこれら排稈チェン１と案内杆２との間で受継挾扼して後方へ搬送することができる。この案内杆２の後半部は排稈カッタ３のカッタ口５上部に位置する切替案内杆８として、後端基部を垂直状に屈曲させた基軸１５を形成し、この基軸１５を排稈室３３の後側壁部に回動及び上下動自在に支持させて、この排稈チェン１の下面に沿うよう移動させたり、前記収納溝部４５に収納するよう移動させることができる。この切替案内杆８の切替え連動の切替連動機構４６が、基軸１５の支持部に設けられ、又、前記切替板４を切替え連動する切替連動機構４７が、切替軸４３の穂先側端に設けられる。又、前記排稈装置７として排稈チェン１の穂先部側に沿って、チェン４９に配設のラグで、この排稈の穂先部を係合して搬送する穂先搬送ラグ４８が設けられる。
【００１２】
排稈ドロッパー６は、前記排稈カッタ３の穂先部寄り後側下部に取付けられて、排稈装置７の後端から排出落下される排稈を収集しながら、間欠的に転倒回動して収集排稈を刈取跡地に落下するものである。このドロッパー６は、ドロッパ軸５０がカッタフレーム４０の後側面に支持されて、所定圧のバネ５１によって水平状の収集姿勢に維持される。排稈が一定の排稈収集重量に達すると、ドロッパー６はこのバネ５１に抗して後側下部に回動して落下され、排稈されるとバネ５１で収集姿勢に復帰される。
前記切替案内杆８と切替板４を切替連動する操作レバー９は、操縦席２６の横側の操作台５２に設けられ、この下部の操作機構５３からワイヤー５４，５５を介して、前記各切替連動機構４６，４７に連結される。
【００１３】
前記切替案内杆８は、排稈チェン１の直下に沿う排稈姿勢Ａと、収納溝部４５に沿う収納姿勢Ｂとに切替回動されるが、このための切替連動機構４６は、前記操作レバー９によって操作されるワイヤー４６と連結の回動アーム１９によって作動される。そして、この切替案内杆８の基部に形成される垂直状の基軸１５を、機体側に取付ける取付ブラケット１６に対して回動可能に支持し、この基軸１５に突出の案内ピン１７を、これら取付ブラケット１６に略上下方向に形成の縦ピン穴１８と、前記操作レバー９で上下回動される回動アーム１９に略前後方向に形成の横ピン穴２０とにわたって嵌合させて、この回動アーム１９の上下回動によって切替案内杆８を昇降させながら出し入れ回動する構成としている。この回動アーム１９は機体排稈室３３後壁部にアーム軸６０で枢支して、前記ワイヤー５４によって復帰バネ６１に抗して上下回動できる。又、前記取付ブラケット１６に形成の縦ピン穴１８は下半部が基軸１５側に屈曲形成される。そして、この回動アーム１９を上方に回動するときは、横ピン穴２０で案内ピン１７を係合して上昇させながら、縦ピン穴１８に案内させて排稈姿勢Ａ側に回動させる。又、回動アーム１９を下方へ回動するときは、案内ピン１７を下降させながら、収納姿勢Ｂ側に回動させて、切替案内杆８をこれら排稈姿勢Ａ、収納姿勢Ｂに切替えできる。
【００１４】
前記切替案内杆８は、基部側８１略半分をパイプ形態に構成して、先端側８２を挿通して伸縮調節できる構成としている。この基部側８１の先端にはバネストッパ６２を有して、この先端側８２の伸縮位置を係止できる。この先端側８２の伸縮は、排稈姿勢Ａにおいて行うことができる。これによりドロッパー６に対する排稈位置の調節や、収納姿勢Ｂへの回動が行われ易くするように短縮できる。
【００１５】
前記切替板４は、切替軸４３の切替連動機構４７がワイヤー５５を介して操作されることにより切替連動されるもので、切替軸４３に一体の切替板アーム６３にワイヤー５５を連結し、この切替軸４３周りの復帰トルクバネ６４に抗してワイヤー５５を引いて切替板４を伏せたカッタ口５閉鎖状態に回動することができ、このワイヤー５５を緩めるとバネ６４によって切替板４は起立しカッタ口５が開口状態となって排稈の切断処理状態とすることができる。
【００１６】
これら切替案内杆８と切替板４を切替操作する操作機構５３は、操作レバー９を支持するレバー軸１０に、切替案内杆８を連動すると共にこの操作レバー９の回動方向に沿うピン穴１１を形成した連動アーム１２と、この操作レバー９と一体に回動して前記切替板４を連動すると共に該ピン穴１１に嵌合するアームピン１３を有したレバーアーム１４とを設け、これら操作レバー９による切替案内杆８の出し入れ回動操作では、該アームピン１３がピン穴１１の回動域においては切替板４のみを開閉作動し、アームピン１３がピン穴１１端に係合した回動域では切替板４と切替案内杆８とを開閉作動するように連動構成する。
ここに、レバー軸１０は操作台５２の機体部に固定し、レバーアーム１４は操作レバー９に一体に固定している。この操作レバー９は操作台５２上の前後方向のレバー案内穴６５に案内させる。前記切替案内杆８の切替連動機構４６と連動のワイヤー５４は、前記連動アーム１２に連結され、切替板４と連動のワイヤー５５は、レバーアーム１４に湾曲リンク６６を介して連結される。この湾曲リンク６６は、該レバーアーム１４の回動によってレバー軸１０部を迂回する形態に死点越え揺動するものである。
【００１７】
前記操作レバー９は、レバー案内穴６５の前後方向操作域で回動できて、切替案内杆８と切替板４を切替えできる。この操作レバー９がカッタ位置Ｃ１のとき切替案内杆８は、収納姿勢Ｂとして切替案内杆８を収納溝部４５に嵌合収納した状態である。このとき切替板４は起立してカッタ口５を開口している。次に、操作レバー９を前側へ向け回動して中間位置Ｂ１に回動すると、切替案内杆８は収納溝部４５に沿って嵌合した収納姿勢Ｂのまま変わらないが、切替板４は起立状態からカッタ口５を閉じる方向に所定量だけ回動する。更に、操作レバー９を前側へ回動してドロッパー位置Ａ１にすると、切替案内杆８は収納姿勢Ｂから排稈チェンに沿う排稈姿勢Ａに向け移動するとともに、切替板４が完全に閉鎖されてドロッパー作業状態となる。従って、操作レバー９をカッタ位置Ｃ１から中間位置Ｂ１へ回動した時、アームピン１３とピン穴１１との関係によって、切替板４のみがあらかじめ所定量だけ閉じる方向に回動した後、操作レバー９を更にドロッパー位置Ａ１に向け回動させると、切替案内杆８が排稈チェン１の側へ移動して排稈通路に出るが、あらかじめ閉じる方向に回動していた切替板４も更にカッタ口５を閉じる方向に回動するため、この切替案内杆８と切替板４との切替作動は交錯することはない。
【図面の簡単な説明】
【図１】排稈操作装置部の斜視図。
【図２】その平面図。
【図３】排稈装置部の側面図。
【図４】その平面図。
【図５】その一部の背面図。
【図６】その操作レバー部の側面図。
【図７】その連動状態を示す同側面図。
【図８】その連動状態を示す同側面図。
【図９】その操作レバー部の分解斜視図。
【符号の説明】
１    排稈チェン
３    排稈カッタ
４    切替板
５    カッタ口
６    ドロッパー
８    切替案内杆
９    操作レバー
【図１】
2005021008.tif 000003
【図２】
2005021008.tif 000004
【図３】
2005021008.tif 000005
【図４】
2005021008.tif 000006
【図５】
2005021008.tif 000007
【図６】
2005021008.tif 000008
【図７】
2005021008.tif 000009
【図８】
2005021008.tif 000010
【図９】
2005021008.tif 000011